(57)【要約】【課題】簡易な構成によって熱源の回転を規制し、熱源が加熱ベルト内の部材に接触するのを抑制する。【解決手段】本発明の定着装置は、回転軸の周りを回転し、記録媒体及びトナー像を加熱する加熱ベルト２２と、加熱ベルト２２に少なくとも部分的に収容され、加熱ベルト２２を加熱する熱源２３と、を備えたベルトユニット１３と、ベルトユニット１３を揺動可能に支持する支持部材１２と、ベルトユニット１３と支持部材１２を位置決めする位置決め部材１６と、を備え、位置決め部材１６は、熱源２３に当接して熱源２３の回転を規制していることを特徴とする。【選択図】図８
2019008096.tif 000002
【特許請求の範囲】
【請求項１】
回転軸の周りを回転し、記録媒体及びトナー像を加熱する加熱ベルトと、前記加熱ベルトに少なくとも部分的に収容され、前記加熱ベルトを加熱する熱源と、を備えたベルトユニットと、
前記ベルトユニットを揺動可能に支持する支持部材と、
前記ベルトユニットと前記支持部材を位置決めする位置決め部材と、を備え、
前記位置決め部材は、前記熱源に当接して前記熱源の回転を規制していることを特徴とする定着装置。
【請求項２】
前記ベルトユニットは、前記支持部材に係合する係合部材を更に備え、
前記位置決め部材は、前記熱源と前記係合部材の隙間を覆っていることを特徴とする請求項１に記載の定着装置。
【請求項３】
前記ベルトユニットは、前記熱源に係合して前記熱源の前記回転軸方向の移動を規制する規制部材を更に備えていることを特徴とする請求項１又は２に記載の定着装置。
【請求項４】
前記加熱ベルトと共に記録媒体及びトナー像を加圧する加圧部材を更に備え、
前記ベルトユニットは、前記加圧部材と共に前記加熱ベルトを挟み込むニップ部材を更に備え、
前記位置決め部材には、前記ニップ部材が係合する係合穴が設けられていることを特徴とする請求項１〜３のいずれか１項に記載の定着装置。
【請求項５】
前記熱源は、
輻射熱を放射する発熱体と、
前記発熱体を収容するガラス管と、を備えたハロゲンヒーターであり、
前記ガラス管は、
前記回転軸方向に沿って延びている円筒状の管本体と、
前記管本体の外周面から突出しているチップと、を有することを特徴とする請求項１〜４のいずれか１項に記載の定着装置。
【請求項６】
請求項１〜５のいずれか１項に記載の定着装置を備えていることを特徴とする画像形成装置。
【発明の詳細な説明】
【技術分野】
【０００１】
本発明は、記録媒体にトナー像を定着させる定着装置と、この定着装置を備えた画像形成装置と、に関する。
【背景技術】
【０００２】
従来、電子写真方式の画像形成装置は、用紙などの記録媒体にトナー像を定着させる定着装置を備えている。例えば、記録媒体及びトナー像を加熱する加熱ベルトと、加熱ベルトに収容され、加熱ベルトを加熱する熱源と、を備えた定着装置がある（特許文献１参照）。
【先行技術文献】
【特許文献】
【０００３】
【特許文献１】特開２０１４−４１１７２号公報
【発明の概要】
【発明が解決しようとする課題】
【０００４】
上記のように構成された定着装置において、熱源が回転すると、熱源が加熱ベルト内の部材に接触して破損する恐れがある。
【０００５】
そこで、本発明は上記事情を考慮し、簡易な構成によって熱源の回転を規制し、熱源が加熱ベルト内の部材に接触するのを抑制することを目的とする。
【課題を解決するための手段】
【０００６】
本発明の定着装置は、回転軸の周りを回転し、記録媒体及びトナー像を加熱する加熱ベルトと、前記加熱ベルトに少なくとも部分的に収容され、前記加熱ベルトを加熱する熱源と、を備えたベルトユニットと、前記ベルトユニットを揺動可能に支持する支持部材と、前記ベルトユニットと前記支持部材を位置決めする位置決め部材と、を備え、前記位置決め部材は、前記熱源に当接して前記熱源の回転を規制していることを特徴とする。
【０００７】
前記ベルトユニットは、前記支持部材に係合する係合部材を更に備え、前記位置決め部材は、前記熱源と前記係合部材の隙間を覆っていても良い。
【０００８】
前記ベルトユニットは、前記熱源に係合して前記熱源の前記回転軸方向の移動を規制する規制部材を更に備えていても良い。
【０００９】
前記定着装置は、前記加熱ベルトと共に記録媒体及びトナー像を加圧する加圧部材を更に備え、前記ベルトユニットは、前記加圧部材と共に前記加熱ベルトを挟み込むニップ部材を更に備え、前記位置決め部材には、前記ニップ部材が係合する係合穴が設けられていても良い。
【００１０】
前記熱源は、輻射熱を放射する発熱体と、前記発熱体を収容するガラス管と、を備えたハロゲンヒーターであり、前記ガラス管は、前記回転軸方向に沿って延びている円筒状の管本体と、前記管本体の外周面から突出しているチップと、を有していても良い。
【００１１】
本発明の画像形成装置は、上記の定着装置を備えていることを特徴とする。
【発明の効果】
【００１２】
本発明によれば、簡易な構成によって熱源の回転を規制し、熱源が加熱ベルト内の部材に接触するのを抑制することが可能となる。
【図面の簡単な説明】
【００１３】
【図１】本発明の一実施形態に係る画像形成装置の概略を示す模式図である。
【図２】本発明の一実施形態に係る画像形成装置を示す斜視図である。
【図３】本発明の一実施形態に係る定着装置を示す斜視図である。
【図４】本発明の一実施形態に係る定着装置において、ベルトユニットと支持部材が位置決めされた状態を示す斜視図である。
【図５】本発明の一実施形態に係る定着装置において、ベルトユニットと支持部材が位置決めされていない状態を示す斜視図である。
【図６】本発明の一実施形態に係る定着装置において、加熱ベルト及びその周辺を示す断面図である。
【図７】本発明の一実施形態に係るハロゲンヒーターを示す斜視図である。
【図８】本発明の一実施形態に係る定着装置において、ベルトユニットと支持部材が位置決めされた状態を示す正面図である。
【発明を実施するための形態】
【００１４】
まず、画像形成装置１の全体の構成について説明する。
【００１５】
以下、説明の便宜上、図１における紙面手前側を画像形成装置１の前側とする。各図に適宜付される矢印Ｆｒ、Ｒｒ、Ｌ、Ｒ、Ｕ、Ｌｏは、それぞれ画像形成装置１の前側、後側、左側、右側、上側、下側を示している。
【００１６】
図１を参照して、画像形成装置１は、例えば、プリンターである。画像形成装置１は、箱型の装置本体２を備えている。装置本体２の下部には、用紙Ｓ（記録媒体）を収納する給紙カセット３が収容されている。装置本体２の上面には排紙トレイ４が設けられている。装置本体２の上部には、排紙トレイ４の下方に露光器５が収容されている。
【００１７】
装置本体２の内部には、用紙Ｓの搬送路Ｐが設けられている。搬送路Ｐの上流端部には、給紙部６が設けられている。搬送路Ｐの中流部には、画像形成部７が設けられている。搬送路Ｐの下流部には、定着装置８が設けられている。
【００１８】
次に、このような構成を備えた画像形成装置１の動作について説明する。
【００１９】
まず、露光器５からのレーザー光（図１の二点鎖線参照）により画像形成部７において静電潜像が形成される。次に、画像形成部７において上記の静電潜像が現像され、トナー像が形成される。これにより、画像形成動作が完了する。
【００２０】
一方、給紙部６によって給紙カセット３から取り出された用紙Ｓは、上記した画像形成動作とタイミングを合わせて画像形成部７へと搬送され、画像形成部７において上記のトナー像が用紙Ｓに転写される。トナー像を転写された用紙Ｓは、搬送路Ｐを下流側へと搬送されて定着装置８に進入し、この定着装置８において用紙Ｓにトナー像が定着される。トナー像が定着された用紙Ｓは、排紙トレイ４に排出される。
【００２１】
次に、定着装置８について更に説明する。
【００２２】
なお、各図に適宜付される矢印Ｉは定着装置８の前後方向内側（定着装置８の前後方向中央部に接近していく側）を示し、各図に適宜付される矢印Ｏは定着装置８の前後方向外側（定着装置８の前後方向中央部から離間していく側）を示している。
【００２３】
図２を参照して、定着装置８は、装置本体２の左端部に取り付けられた開閉可能なカバー９の右側（内側）に設けられている。定着装置８は、その全体が一体化されており、装置本体２に対して着脱可能となっている。
【００２４】
図３、図４を参照して、定着装置８は、筐体１１と、筐体１１の前端側と後端側にそれぞれ設けられる支持部材１２（図４において前側の支持部材１２のみを表示）と、筐体１１の上部に収容されるベルトユニット１３と、筐体１１の下部に収容される加圧ローラー１４と、筐体１１の前端側と後端側にそれぞれ設けられる圧力切換機構１５と、筐体１１の前端側と後端側にそれぞれ設けられる位置決め部材１６（図４において前側の位置決め部材１６のみを表示）と、を備えている。
【００２５】
図３を参照して、定着装置８の筐体１１は、前後方向に長い箱型を成している。図４、図５を参照して、筐体１１の前後両端部には、側板１８（図４、図５において前側の側板１８のみを表示）が設けられている。なお、図４、図５では、筐体１１のうちの側板１８以外の部分の記載が省略されている。
【００２６】
図４、図５を参照して、定着装置８の各支持部材１２は、円柱状を成しており、前後方向に沿って延びている。各支持部材１２は、筐体１１に支持されている。各支持部材１２の外周面には、円環状の支持溝２０が設けられている。
【００２７】
図４〜図６を参照して、定着装置８のベルトユニット１３は、加熱ベルト２２と、加熱ベルト２２に部分的に収容されるハロゲンヒーター２３（熱源の一例）及びニップ部材２４と、加熱ベルト２２に全体的に収容される反射部材２５と、加熱ベルト２２の前端側と後端側にそれぞれ設けられる係合部材２６（図４、図５において前側の係合部材２６のみを表示）と、各係合部材２６の前後方向内側に配置される保持部材２７と、各係合部材２６の前後方向外側に配置される規制部材２８（図４、図５において前側の規制部材２８のみを表示）と、を備えている。
【００２８】
ベルトユニット１３の加熱ベルト２２は、前後方向に長い円筒状を成している。加熱ベルト２２は、可撓性を有しており、周方向には無端状である。加熱ベルト２２は、前後方向に延びている回転軸Ｘの周りを回転するように構成されている。つまり、本実施形態では、前後方向が加熱ベルト２２の回転軸方向である。
【００２９】
図６、図７を参照して、ベルトユニット１３のハロゲンヒーター２３は、発熱体３０と、発熱体３０を収容するガラス管３１と、ガラス管３１の前後両端部に装着されるキャップ３２と、を備えている。
【００３０】
ハロゲンヒーター２３の発熱体３０は、例えば、タングステンのフィラメントによって構成されている。発熱体３０は、加熱ベルト２２に収容されている。
【００３１】
ハロゲンヒーター２３のガラス管３１は、例えば、石英ガラスによって構成されている。ガラス管３１は、加熱ベルト２２に収容されている。ガラス管３１には、ハロゲンガスが発熱体３０と共に収容されている。ガラス管３１は、前後方向に沿って延びている円筒状の管本体３４と、管本体３４の外周面から突出しているチップ３５と、を有している。チップ３５は、ガラス管３１にハロゲンガスが注入された後に、ハロゲンガスの注入口が溶着されることによって形成されている。つまり、チップ３５は、ハロゲンヒーター２３の製造時に形成されている。
【００３２】
ハロゲンヒーター２３の各キャップ３２は、加熱ベルト２２よりも前後方向外側に突出している。各キャップ３２は、本体片３７と、本体片３７から前後方向外側に向かって突出している突出片３８と、突出片３８の外周面から突出している係合片３９と、を備えている。本体片３７の外周面には、一対の平面部４１と、一対の平面部４１を接続する一対の湾曲部４２と、が形成されている。係合片３９の前後方向中央部には、スリット４３が形成されている。
【００３３】
図６を参照して、ベルトユニット１３のニップ部材２４は、パッド４５と、パッド４５に巻き付けられるシート４６と、パッド４５の上側に設けられるステイ４７と、を備えている。
【００３４】
ニップ部材２４のパッド４５は、例えば、液晶ポリマー等の耐熱性樹脂によって構成されている。パッド４５は、加熱ベルト２２に収容されている。パッド４５は、シート４６を介して加熱ベルト２２を下側（加圧ローラー１４側）に押圧している。
【００３５】
ニップ部材２４のシート４６は、例えば、フッ素系樹脂によって構成されている。シート４６は、パッド４５よりも摩擦係数が小さく、摺動性が高い。シート４６は、加熱ベルト２２に収容されている。シート４６の一部は、加熱ベルト２２の内周面とパッド４５の下面の間に介装されている。
【００３６】
ニップ部材２４のステイ４７は、一対のＬ字状の板金を組み合わせることによって形成されており、略四角筒状を成している。ステイ４７は、パッド４５を上側から支持している。ステイ４７の前後両端部以外の部分は、加熱ベルト２２に収容されている。ステイ４７の前後両端部は、加熱ベルト２２よりも前後方向外側に突出している。図４、図５を参照して、ステイ４７の前後両端部（図４、図５において前端部のみを表示）には、左右一対の係合部４９が設けられている。
【００３７】
図６を参照して、ベルトユニット１３の反射部材２５は、例えば、光輝アルミニウム等の金属によって形成されている。反射部材２５は、下側に向かって開口されたコ字状を成している。反射部材２５は、ハロゲンヒーター２３とニップ部材２４の間に配置されている。
【００３８】
図４、図５を参照して、ベルトユニット１３の各係合部材２６は、板金を屈曲させることによって形成されている。各係合部材２６は、外板５１と、外板５１の前後方向内側に配置される内板５２と、外板５１の右端部と内板５２の右端部を連結する連結板５３と、を備えている。
【００３９】
各係合部材２６の外板５１の左端部には、係合溝５５が設けられている。係合溝５５は、下側に向かって開口されたＵ字状を成している。係合溝５５は、各支持部材１２の支持溝２０に上側から係合している。これにより、ベルトユニット１３が各支持部材１２に揺動可能に支持されると共に、各支持部材１２に対するベルトユニット１３の前後方向の移動が規制されている。外板５１の前後方向外側の面の左側部には、位置決め突起５６が突出している。外板５１の左右方向中央部には、貫通穴５７が設けられている。貫通穴５７の下部には、ニップ部材２４のステイ４７の各係合部４９が貫通している。図８を参照して、貫通穴５７の上部には、ハロゲンヒーター２３の各キャップ３２の本体片３７が貫通している。各キャップ３２の本体片３７の外周面と貫通穴５７の内周面の間には、隙間Ｇが形成されている。
【００４０】
図６を参照して、ベルトユニット１３の各保持部材２７は、本体部６１と、本体部６１の前後方向内側の面から突出している突出部６２と、突出部６２の外周に回転可能に装着されるリング部６３と、を備えている。
【００４１】
各保持部材２７の本体部６１は、各係合部材２６（図４、図５参照）の外板５１の前後方向内側の面に固定されている。
【００４２】
各保持部材２７の突出部６２は、下側に向かって開口されたＣ字状を成している。突出部６２は、本体部６１と一体に形成されている。突出部６２は、加熱ベルト２２の前後両端部に挿入されており、加熱ベルト２２の前後両端部を保持している。
【００４３】
各保持部材２７のリング部６３は、円環状を成している。リング部６３は、本体部６１及び突出部６２とは別体に形成されている。リング部６３は、加熱ベルト２２の前後両端部の前後方向外側に配置されており、加熱ベルト２２の蛇行（前後方向への移動）を規制している。
【００４４】
図４、図５を参照して、ベルトユニット１３の各規制部材２８は、板金を屈曲させることによって形成されている。各規制部材２８は、上下方向に沿って延びている固定壁６５と、固定壁６５の下端部から前後方向外側に向かって屈曲される屈曲壁６６と、屈曲壁６６の前後方向外側の端部から下側に向かって屈曲される係合壁６７と、を備えている。固定壁６５は、各係合部材２６の外板５１の前後方向外側の面に固定されている。係合壁６７の下部には、係合凹部６９が設けられている。係合凹部６９には、ハロゲンヒーター２３の各キャップ３２の突出片３８が係合している。係合壁６７の下部は、係合凹部６９の外周において、ハロゲンヒーター２３の各キャップ３２の係合片３９に設けられたスリット４３に係合している。これにより、各規制部材２８に対するハロゲンヒーター２３の前後方向の移動が規制されている。なお、図８では、規制部材２８のうちの固定壁６５以外の部分の記載が省略されている。
【００４５】
図４、図５を参照して、定着装置８の加圧ローラー１４は、前後方向に長い円柱状を成している。加圧ローラー１４の前後両端部（図４、図５において前端部のみを表示）は、ベアリング７１を介して筐体１１の各側板１８に取り付けられている。これにより、加圧ローラー１４が筐体１１に回転可能に支持されている。
【００４６】
図６を参照して、加圧ローラー１４は、加熱ベルト２２に所定の圧力で接触しており、加熱ベルト２２と加圧ローラー１４の間には定着ニップＮが形成されている。加圧ローラー１４は、ニップ部材２４と共に加熱ベルト２２を挟み込んでいる。
【００４７】
図３を参照して、定着装置８の各圧力切換機構１５は、コイルバネ７３とカム（図示せず）とを備えている。各圧力切換機構１５は、各支持部材１２を中心にベルトユニット１３を上下に揺動させることで、定着ニップＮの圧力を切り換えるように構成されている。
【００４８】
図４、図８を参照して、定着装置８の各位置決め部材１６は、平板状を成している。各位置決め部材１６の左端部には、円形の嵌合穴７５が設けられている。各嵌合穴７５には、各支持部材１２の外周面が嵌合している。各位置決め部材１６の左側部には、位置決め穴７６が設けられている。位置決め穴７６には、各係合部材２６の外板５１の位置決め突起５６が係合している。各位置決め部材１６の左下部は、ビス７７によって各係合部材２６の外板５１の左下部に固定されている。以上のような構成により、各位置決め部材１６によってベルトユニット１３と各支持部材１２が位置決めされており、各支持部材１２に対するベルトユニット１３の浮き上がりが抑制されている。
【００４９】
各位置決め部材１６の右側部には、左右一対の係合穴７８が設けられている。各係合穴７８には、ニップ部材２４のステイ４７の各係合部４９が係合している。各位置決め部材１６の右上部には、規制穴７９が設けられている。規制穴７９には、ハロゲンヒーター２３の各キャップ３２の本体片３７が貫通している。規制穴７９の下縁部には、本体片３７の一方の平面部４１が当接している。規制穴７９の上縁部には、本体片３７の他方の平面部４１が僅かな隙間を介して対向している。以上のような構成により、各位置決め部材１６によってハロゲンヒーター２３の回転が規制されている。各位置決め部材１６の右上部は、規制穴７９の外周において、前述の隙間Ｇを前後方向外側から覆っている。
【００５０】
次に、上記のように構成された定着装置８において、用紙Ｓにトナー像Ｔを定着させる動作について説明する。
【００５１】
用紙Ｓにトナー像Ｔを定着させる際には、モーターなどの駆動源（図示せず）によって加圧ローラー１４を回転させる（図６の矢印Ａ参照）。このように加圧ローラー１４が回転すると、これに従動して加熱ベルト２２が回転する（図６の矢印Ｂ参照）。このように加熱ベルト２２が回転すると、加熱ベルト２２がニップ部材２４のシート４６に対して摺動する。
【００５２】
また、用紙Ｓにトナー像Ｔを定着させる際には、ハロゲンヒーター２３を稼働させる。このようにハロゲンヒーター２３が稼働すると、ハロゲンヒーター２３の発熱体３０から輻射熱が放射される。発熱体３０から放射された輻射熱の一部は、加熱ベルト２２の内周面に直接照射され、吸収される。また、発熱体３０から放射された輻射熱の別の一部は、反射部材２５によって加熱ベルト２２の内周面に向かって反射され、加熱ベルト２２の内周面に吸収される。以上のような作用により、ハロゲンヒーター２３によって加熱ベルト２２が加熱される。
【００５３】
この状態で、搬送方向Ｙに沿って搬送されてきた用紙Ｓが定着ニップＮに進入すると、加熱ベルト２２によって用紙Ｓ及びトナー像Ｔが加熱されると共に、加熱ベルト２２及び加圧ローラー１４によって用紙Ｓ及びトナー像Ｔが加圧される。これにより、用紙Ｓにトナー像Ｔが定着される。
【００５４】
ところで、本実施形態では上記のように、ハロゲンヒーター２３の製造時にハロゲンヒーター２３のガラス管３１にチップ３５が形成されている。そのため、ハロゲンヒーター２３が回転すると、チップ３５の位置が変化し、チップ３５が加熱ベルト２２内の部材（例えば、ニップ部材２４や反射部材２５）に接触する恐れがある（図６の二点鎖線参照）。このようにチップ３５が加熱ベルト２２内の部材に接触すると、ハロゲンヒーター２３のガラス管３１が破損する恐れがある。
【００５５】
しかしながら、本実施形態では上記のように、各位置決め部材１６がハロゲンヒーター２３の各キャップ３２に当接することで、ハロゲンヒーター２３の回転が規制されている。このような構成を採用することで、簡易な構成によってハロゲンヒーター２３の回転を規制し、チップ３５が加熱ベルト２２内の部材に接触してハロゲンヒーター２３のガラス管３１が破損するのを抑制することが可能となる。
【００５６】
ところで、本実施形態では上記のように、ハロゲンヒーター２３の各キャップ３２と各係合部材２６の外板５１の間に隙間Ｇが形成されている。この隙間Ｇを介して加熱ベルト２２内の熱が加熱ベルト２２の外部に放出されると、定着装置８の熱損失が大きくなる。これに伴って、定着装置８の電力消費量が増加し、画像形成装置１のランニングコストが高くなる恐れがある。
【００５７】
しかしながら、本実施形態では上記のように、各位置決め部材１６が隙間Ｇを前後方向外側から覆っている。このような構成を採用することで、加熱ベルト２２内の熱が隙間Ｇを介して加熱ベルト２２の外部に放出されるのを抑制し、定着装置８の熱損失を小さくすることが可能となる。そのため、定着装置８の電力消費量を減少させ、画像形成装置１のランニングコストを低くすることが可能となる。
【００５８】
また、ハロゲンヒーター２３の各キャップ３２に係合してハロゲンヒーター２３の前後方向の移動を規制する各規制部材２８が各位置決め部材１６とは別体に設けられている。このような構成を採用することで、ハロゲンヒーター２３の前後方向の移動を確実に規制することが可能となる。
【００５９】
また、各位置決め部材１６には、左右一対の係合穴７８が設けられており、各係合穴７８には、ニップ部材２４のステイ４７の各係合部４９が係合している。このような構成を採用することで、各位置決め部材１６によってベルトユニット１３と各支持部材１２の位置精度を高めることが可能となる。
【００６０】
また、ハロゲンヒーター２３の製造時にハロゲンヒーター２３のガラス管３１にチップ３５が形成されている。このような構成を採用することで、チップ３５を完全に除去するような製造方法でハロゲンヒーター２３を製造する場合と比較して、ハロゲンヒーター２３の製造コストを低くすることが可能となる。一方で、ガラス管３１にチップ３５が形成されると、前述のようにチップ３５が加熱ベルト２２内の部材に接触してガラス管３１の破損につながる恐れがあるため、上記のような構成によってハロゲンヒーター２３の回転を規制するメリットが大きい。
【００６１】
また、画像形成装置１は、上記の定着装置８を備えている。このような構成を採用することで、簡易な構成によってハロゲンヒーター２３の回転を規制することが可能な画像形成装置１を提供することが可能となる。
【００６２】
本実施形態では、ハロゲンヒーター２３が部分的に加熱ベルト２２に収容されている。一方で、他の異なる実施形態では、ハロゲンヒーター２３が全体的に加熱ベルト２２に収容されていても良い。
【００６３】
本実施形態では、画像形成装置１がプリンターである。一方で、他の異なる実施形態では、画像形成装置１がコピー機、ファクシミリ、複合機（プリント機能、コピー機能及びファックス機能等を複合的に備えた画像形成装置）等であっても良い。
【符号の説明】
【００６４】
１  画像形成装置
１２  支持部材
１３  ベルトユニット
１４  加圧ローラー（加圧部材の一例）
１６  位置決め部材
２２  加熱ベルト
２３  ハロゲンヒーター（熱源の一例）
２４  ニップ部材
２６  係合部材
２８  規制部材
３０  発熱体
３１  ガラス管
３４  管本体
３５  チップ
７８  係合穴
Ｇ  隙間
Ｓ  用紙（記録媒体の一例）
Ｔ  トナー像
Ｘ  回転軸
【図１】
2019008096.tif 000003
【図２】
2019008096.tif 000004
【図３】
2019008096.tif 000005
【図４】
2019008096.tif 000006
【図５】
2019008096.tif 000007
【図６】
2019008096.tif 000008
【図７】
2019008096.tif 000009
【図８】
2019008096.tif 000010